(57)【要約】【課題】被打撃面でどの位置が打撃されても良好な音を放音する打楽器を提供する。【解決手段】ギターの胴部と同様の形状をした打楽器１において、表板１０の裏面に複数の響棒を配置する。響棒は側面の形状が台形形状であり、台形形状の下辺側の面が表板１０に固着される。ここで、複数の響棒を裏面に配置すると、裏面が複数の領域に分割されるが、響棒を配置する際には、複数の領域の面積に差が生じないように配置する。表板１０が打撃されると、表板１０が振動するが、この振動は各響棒を経由して表板１０の全体に伝わるので、表板１０の振動で位相差が生じる場所が少なくなり、良い音が発生する。【選択図】図２
2008203419.tif 000002
【特許請求の範囲】
【請求項１】
中空部を有する立体形状の打楽器であって、
前記立体形状は複数部材により形成されており、
前記部材の少なくとも一つは板状部材であり、
該板状部材において前記中空部に面した裏面には、複数の響棒が配置されていること
を特徴とする打楽器。
【請求項２】
前記立体形状はくびれを有することを特徴とする請求項１に記載の打楽器。
【請求項３】
前記立体形状の外面から前記中空部とは反対方向へ突出した棒状部材を有していることを特徴とする請求項１または請求項２に記載の打楽器。
【請求項４】
前記棒状部材は伸縮可能であることを特徴とする請求項３に記載の打楽器。
【請求項５】
前記立体形状の外面から前記中空部へ貫通する貫通孔を有することを特徴とする請求項１乃至４のいずれかに記載の打楽器。
【請求項６】
前記複数の響棒は、前記裏面を複数の領域に分割するように配置され、且つ、前記各領域の面積が略同一となるように配置されていることを特徴とする請求項１乃至５のいずれかに記載の打楽器。
【請求項７】
前記裏面に前記板状部材の振動を検出するセンサが配置されていることを特徴とする請求項１乃至６のいずれかに記載の打楽器。
【請求項８】
前記裏面には板状の補強部材が配置され、配置された補強部材における前記裏面と反対側の面に前記板状部材の振動を検出するセンサが配置されていること
を特徴とする請求項１乃至６のいずれかに記載の打楽器。
【発明の詳細な説明】
【技術分野】
【０００１】
本発明は、中空立体形状の打楽器に関する。
【背景技術】
【０００２】
手で叩くカホンと同様の打楽器として、特許文献１，２に開示された打楽器がある。特許文献１に開示されている打楽器は、その形状が中空な直方体であり、直方体の一つの面には中空部に突出した筒を備えた放音口が設けられている。また、特許文献２に開示されている打楽器はギターと同様の形状をしており、ギターの胴部に相当する部分には開口部が設けられている。そして、この打楽器は吊りバンドを備えており、この吊りバンドを使用することにより、打楽器を肩から吊り下げて演奏することが可能となっている。
【０００３】
【特許文献１】特開２００５−２６６７３２号公報
【特許文献２】実用新案登録第３１０１７２７号公報
【発明の開示】
【発明が解決しようとする課題】
【０００４】
さて、特許文献１，２に開示されている打楽器のように中空部を有する打楽器においては、打撃面となる部材の中央部分を打撃すると打撃によって生じた振動が部材の全体に広く伝わるため、打撃された部材がよく振動し、中空部で音が共鳴して良い音が発生する。しかしながら、打撃面となる部材の縁部に近い位置を打撃した場合、縁部の近傍には打撃面となる部材を支える他の部材が位置しているため、打撃によって生じた振動が部材の全体に広く伝わらず、中央部分を叩いた時と同様の音を出すことは難しい。
【０００５】
本発明は、上述した背景の下になされたものであり、被打撃面でどの位置が打撃されても良好な音を放音する打楽器を提供することを目的とする。
【課題を解決するための手段】
【０００６】
上述した課題を解決するために本発明は、中空部を有する立体形状の打楽器であって、前記立体形状は複数部材により形成されており、前記部材の少なくとも一つは板状部材であり、該板状部材において前記中空部に面した裏面には、複数の響棒が配置されていることを特徴とする打楽器を提供する。
【０００７】
本発明において、前記立体形状はくびれを有する形状であってもよい。
また、本発明においては、前記立体形状の外面から前記中空部とは反対方向へ突出した棒状部材を有する構成であってもよい。
また、本発明においては、前記棒状部材は伸縮可能であってもよい。
また、本発明においては、前記立体形状の外面から前記中空部へ貫通する貫通孔を有する構成であってもよい。
【０００８】
また、本発明において、前記複数の響棒は、前記裏面を複数の領域に分割するように配置され、且つ、前記各領域の面積が略同一となるように配置されていてもよい。
また、本発明においては、前記裏面に前記板状部材の振動を検出するセンサが配置されていてもよい。
また、本発明においては、前記裏面には板状の補強部材が配置され、配置された補強部材における前記裏面と反対側の面に前記板状部材の振動を検出するセンサが配置されていてもよい。
【発明の効果】
【０００９】
本発明によれば、被打撃面でどの位置が打撃されても良好な音が放音される。
【発明を実施するための最良の形態】
【００１０】
［第１実施形態］
図１は、本発明の第１実施形態に係る打楽器１の斜視図である。同図に示したように、この打楽器１は、木材で形成された表板１０、裏板２０、側板３０とを有しており、ギターの胴部と同様に表板１０及び裏板２０の中央付近にくびれた部分を有する形状で内部が中空となっている。表板１０と裏板２０は同じ形状であり、表板１０と裏板２０は、各々対向するように側板３０を挟んで側板３０に接着されている。
【００１１】
裏板２０は、板状の部材である。裏板２０において打楽器１の表面となる面と、打楽器１の内部に向く面（表板１０と対向する面（以下、裏面という））はいずれも平面となっている。
側板３０は、木製で帯状の部材を曲げて形成されており、その側面は、表板１０と裏板２０とが接着される際に隙間が生じないように平面となっている。
【００１２】
表板１０も板状の部材であり、表面から裏面へ貫通する円形の貫通孔１１を有している。この貫通孔１１により、本打楽器１の内部で発生する音が外部へ効率良く放射される。また、表板１０において打楽器１の表面となる面と、打楽器１の内部に向く面（裏板２０と対向する面（以下、裏面という））はいずれも平面となっている。また、表板１０の裏面には複数の部材が固着されている。なお、表板１０と裏板２０の厚さは２．５ｍｍ〜３ｍｍ程度であるのが好ましいが、どのような音を発生させるかによって、厚さは任意に変更してもよい。
【００１３】
図２は、表板１０の裏面の平面図である。図２に示したように、表板１０には、棒状の部材である響棒４１〜４４が固着されている。響棒４１〜４４は、表板１０が演奏者により打撃されたとき生じた振動を表板１０の全体に伝えるため、表板１０の一方の端部から他方の端部まで略全面に渡って配設された木製の部材である。
【００１４】
図３は、響棒４１を図２の矢印Ａ方向から見た図である。響棒４１は、図３に示したように側面の形状が台形形状となっており、両端部の厚さが薄くなっている。これは、表板１０と響棒４１の固着部付近において、音響インピーダンスや剛性が急変することを緩和するためである。なお、響棒４２も響棒４１と同様に側面の形状は台形形状となっている。
【００１５】
また、図２に示したように固着時に交差する響棒４３，４４は、図４，５に示したように、響棒４１と同様に側面の形状が台形形状となっている。そして、響棒４３，４４は、長手方向の中心部分に凹部を有している。具体的には、響棒４３は、図４に示したように長手方向の中央部分が台形形状の上辺側から下辺側に向かって矩形に凹んでいる（以下、響棒４３において、上辺側から下辺側に向かって凹んでいる部分を凹部４３Ａといい、凹部４３Ａの底から響棒４３の下辺までの部分（図４中で点線で囲まれている部分）を嵌合部４３Ｂという）。また、響棒４４は、図５に示したように長手方向の中央部分が台形形状の下辺側から上辺側に向かって矩形に凹んでいる（以下、響棒４４において、下辺側から上辺側に向かって凹んでいる部分を凹部４４Ａといい、凹部４４Ａの底から響棒４４の上辺までの部分（図５中で点線で囲まれている部分）を嵌合部４４Ｂという）。
凹部４３Ａの一方の側面から他方の側面までの幅は、響棒４４の一方の側面から他方の側面までの幅と同じとなっており、凹部４４Ａの一方の側面から他方の側面までの幅は、響棒４３の一方の側面から他方の側面までの幅と同じとなっているため、凹部４３Ａに嵌合部４４Ｂを嵌合させると共に凹部４４Ａに嵌合部４３Ｂを嵌合させると、図２に示したように響棒４３と響棒４４とを交差させることができる。なお、各響棒においては、一方の側面から他方の側面までの幅は７ｍｍ〜８ｍｍの間、上辺から下辺までの高さは１０〜１５ｍｍの間にあるのが好ましいが、どのような音を発生させるかによって、寸法は任意に変更してもよい。なお、響棒４３と響棒４４の上辺側の面は響棒が交差した時には段差がなく面一となる。
【００１６】
そして、響棒４１〜４４は、いずれも台形形状の下辺側の面が表板１０に対して接着剤により固着されている。なお、響棒４１〜４４を表板１０に配置すると、響棒４１〜４４により表板の裏面が複数の領域（図２中の領域Ｒ１〜Ｒ６）に分割されるが、響棒４１〜４４を表板１０に配置する際には、この複数の領域の面積が略同一となるように配置するのが好ましい。これにより、各領域の振動特性に顕著な差異が生じることがなく、略同一の振動特性となる。なお、領域Ｒ１は図２において響棒４１より左側の領域、領域Ｒ２は図２において響棒４２より右側の領域である。また、領域Ｒ３は図２において交差した響棒４３，４４より上側の領域であり、領域Ｒ５は図２において交差した響棒４３，４４より下側の領域である。また、領域Ｒ４は図２において交差した響棒４３，４４と響棒４１とで囲まれた領域であり、領域Ｒ６は図２において交差した響棒４３，４４と響棒４２とで囲まれた領域である。
【００１７】
本実施形態においては、響棒４１と響棒４２は平行であって、且つ、表板１０の中心線に対して直交し、図２に示した領域Ｒ１の面積と領域Ｒ２の面積が略同一となるように表板１０に配置されている。また、響棒４３と響棒４４は交差させられ、領域Ｒ３〜Ｒ６の各領域の面積が領域Ｒ１，Ｒ２と略同一となるように表板１０に配置されている。なお、響棒４３と響棒４４との交差部分は、表板１０の中心線上であって響棒４１〜響棒４２までの領域の面積を等分する位置にあるのが望ましい。
【００１８】
そして、この構成の打楽器１を用いて演奏を行う場合、演奏者は打楽器１においてくびれている部分を両膝で挟んで固定し、手で表板１０を打撃する。表板１０の表面が打撃されると、表板１０において打撃された部分が振動するが、この振動は各響棒を経由して表板１０の全体に伝わる。部材を打撃することにより音を発生する打楽器においては、部材を薄くすると部材が良く振動するが、部材が薄いと打撃される位置によっては分割振動が生じて良い音が発生しない場合がある。しかしながら、本実施形態においては、表板１０を薄くして振動し易さを確保しながら、打撃される表板１０に固着した響棒４１〜４４により振動が表板１０の全体に伝わるようにしたため、表板１０において位相差が生じる場所が少なくなり、分割振動が少ない音を発生させることができる。
また、響棒４１〜４４は表板の一方の端部から他方の端部まで略全面に渡って配設され、かつ響棒で分割される領域の面積が略同一なので、打撃位置によらず略同一の音を発生させることができる。
さらに、本実施形態においては、打楽器１のくびれている部分を演奏者が両膝で挟んで固定するため、演奏時に打楽器１が不安定になることがなく、確実に手で打撃することができる。
【００１９】
［第２実施形態］
次に、本発明の第２実施形態に係る打楽器１について説明する。本実施形態に係る打楽器１は、形状がギターの胴部と同様の形状である点、内部に響棒４１〜４４を有している点、響棒４１〜４４の配置については第１実施形態に係る打楽器１と同じであり、表板１０の振動を検出するセンサユニットを有している点が第１実施形態に係る打楽器１と異なっている。
【００２０】
図６は、本実施形態に係る打楽器１の表板１０の裏面の平面図である。図６に示したように、表板１０の裏面には、第１実施形態と同様に響棒４１〜４４が固着されている。そして、本実施形態においては、響棒４３と響棒４４が交差した部分の近傍に４つの補強板５０と、４つのセンサユニット６０が配置されている。
【００２１】
板状の木材で形成されている補強板５０は、矩形の一方の長辺の両端の角を面取りした形状となっている。そして各補強板５０は、図６に示したように、補強板５０は面取りされた部分の一方が響棒４３に接し、もう一方が響棒４４に接するように表板１０上に配置され、接着剤により表板１０に固着されている。そして、４つの補強板５０の各々には、センサユニット６０が配置されている。なお、補強板５０の厚さは５ｍｍ程度が好ましいが、任意に変更してもよい。
【００２２】
センサユニット６０の形状は円板形状であり、図７に示したように複数の部材を積層した構造となっている。具体的には、センサユニット６０は、第１接着層６１Ａ、第２接着層６１Ｂ、中間層６２、金属層６３、圧電素子６４を有している。
第１接着層６１Ａ、第２接着層６１Ｂは、ブチルゴムにより構成されている。このブチルゴムは、成分配合により色々な種類のものがあるが、非加流タイプで自己粘着性を有するものが好ましい。また、中間層６２は木材で形成されており、本実施形態においてはメイプルで形成されている。金属層６３は、金属で形成されており、本実施形態においては真鍮で形成されている。圧電素子６４は、振動を電気信号に変換する素子である。
【００２３】
センサユニット６０においては、各部材は、第１接着層６１Ａ、中間層６２、第２接着層６１Ｂ、金属層６３、圧電素子６４の順番に積層されている。そして、第１接着層６１Ａは、補強部材５０に接着され、圧電素子６４にはリード線（図示略）が接続され、金属層６３にはアース線（図示略）が接続される。リード線とアース線は、側板３０に配置されている端子（図示略）に接続されており、圧電素子６４で得られた電気信号は、側板３０に配置されている端子から出力される。この電気信号をアンプに入力して増幅し、増幅された信号を拡声装置へ出力することにより、打楽器１を叩いたときに生じる音を増幅して出力することができる。
そして、センサユニット６０は表板１０の中央付近である響棒４３，４４の交差部分付近に配置され、かつ領域Ｒ３〜Ｒ６毎に配置される。このようにセンサユニット６０を配置することにより、各領域の振動を均一、忠実に検出することができる。なお、センサユニット６０を補強板５０に接着する際には、本実施形態においては、円形のセンサユニット６０の中心点が、響棒４３と響棒４４の交差部分を中心にした円の円周上に位置するように補強板５０の表面に配置するのが好ましい。
【００２４】
そして、この構成の打楽器１を用いて演奏を行う場合、演奏者が手で表板１０を打撃すると、表板１０において打撃された部分が振動するが、この振動は各響棒を経由して表板の全体に伝わる。本実施形態においても第１実施形態と同様に振動が表板１０の全体に伝わるため、表板１０において位相差が生じる場所が少なくなり、分割振動が生じなくなって良い音が発生する。
また、本実施形態においては、打撃により生じた表板１０の振動は、補強板５０上に配置されたセンサユニット６０により検知される。各センサユニット６０において、表板１０から補強板５０を介して圧電素子６４に伝播する振動は、第１接着層６１Ａ，中間層６２、第２接着層６１Ｂにより減衰される。特に、メイプルからなる中間層６２は、励振されて振動エネルギーが消費され、圧電素子６４の出力レベルを一定値以下に下げることができる。これにより、再生音の音色及び音質を向上させることが可能となる。
また、ブチルゴムからなる第１接着層６１Ａと第２接着層６１Ｂでは高音域において減衰作用を効果的に奏することができ、余分な残響が削除された音色を得られる。一方、中間層６２では、各接着層とは異なる周波数帯域、つまり、低音域及び中音域の減衰作用を得たり、ブチルゴムにはないメイプル特有の減衰特性と音色補正効果も得られるようになる。これにより、中間層６２によって良好な減衰作用が得られる周波数帯域を拡大したり、不要となる周波数成分の低減や調整を行うことができ、これによっても、より良い音色や音質を実現することが可能となる。
【００２５】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００２６】
響棒の数と配置位置、補強板の数と配置位置、センサユニットの数と配置位置は、上述した実施形態に示した構成に限定されるものではない。例えば、図８に示したように表板１０に響棒４１，４２，４５〜４８、補強板５０、センサユニット６０を配置してもよい。これは、図２に示した響棒の配置と同様に、各響棒で分割される表板の領域が等分されるように響棒を配置したものであるが、交差する響棒をなくしたことが図２の響棒の配置との相違点である。このように響棒を配置すると、図４及び図５に示した凹部と嵌合部の精密な加工が不要となる。また、響棒４５〜４８を略同じ方向に配置し、かつ響棒４１，４２と響棒４５〜４８とは、互いに直交する方向に配置したので、製作作業が比較的容易となる。なお、図８に示した構成においては、補強板とセンサユニットとを配置しなくてもよい。
【００２７】
上述した実施形態においては、打楽器の形状はギターの胴部と同様に中空部とくびれ部分を有しているが、上述した実施形態においては、打楽器の形状は、中空であれば直方体、円柱、多角柱など、他の形状であってもよい。
また、打楽器１の大きさは、ギターの胴部と同様の大きさに限定されるものではなく、ウクレレの胴部やチェロの胴部、コントラバスの胴部など、他の大きさであってもよい。
また、上述した実施形態においては、打楽器１において打撃される面は平面となっているが、打撃される面は曲面であってもよい。
また、打楽器１の形状は、内部に中空部を有しているのであれば上述した形状に限定されず、例えば、裏板２０が曲面を有していてもよい。また、例えば、貫通孔が設けられている板状の表板を、所謂マンドリンの胴部のように洋なし型で内部が中空な部材に貼り付けた形状であってもよい。
【００２８】
上述した実施形態においては、貫通孔１１の形状は円形となっているが、円形ではなく矩形や多角形、楕円形、またはｆホールの形状であってもよい。また、貫通孔１１は、表板１０ではなく裏板２０または側板３０に設けられていてもよい。また、貫通孔１１の数は、一つだけでなく複数であってもよく、また、貫通孔１１の大きさも図に示した大きさだけでなく他の大きさであってもよい。
【００２９】
上述した実施形態においては、表板、裏板、側板、響棒、補強板はいずれも木材で形成されているが、木材ではなく、金属やプラスチックなど他の材質であってもよい。また、材質に木材以外を使用する場合には、各部材の材質を各々異ならせてもよい。
【００３０】
センサユニット６０を表板１０に配置する構成においては、補強板５０を配置せずにセンサユニット６０を表板１０に直接貼り付けるようにしてもよい。
【００３１】
打楽器１においては、響棒は表板１０と裏板２０の両方に配置されていてもよい。また、響棒の長さや幅、厚さは、図示したものに限定されず、任意に変更してもよい。また、響棒の側面は平面ではなく曲面であってもよい。また、響棒の配置は図示したものに限定されず、任意に変更してもよい。また、響棒を交差させて表板１０に固着する際には、響棒の交差部分が表板の重心位置に位置するように固着してもよい。なお、響棒の長さは任意に変更してもよいが、響棒の役目は、振動を表板１０に広く伝えるという役目であるため、表板１０の縦方向の長さまたは横方向の長さに対して所定の割合以上の長さがあるのが望ましい。
【００３２】
上述した打楽器１は、図９に示したように、チェロのエンドピンと同様の伸縮自在の脚８０を備えていてもよい。なお、脚８０は伸縮自在ではなく所定の長さの棒状の部材であってもよい。この棒状部材の端部を床に着け、打楽器１のくびれ部分を両足で挟むようにして打楽器１を固定すると、両足で挟むだけの場合と比較して打楽器１をよりしっかりと固定して演奏することができる。
【００３３】
上述した打楽器１においては、各部材は木材で形成されているが、木材の種類としては特定の種類の木材に限定されるものではなく、所望の音に応じて任意に木材を変更してもよい。
【図面の簡単な説明】
【００３４】
【図１】本発明の第１実施形態に係る打楽器１の斜視図である。
【図２】表板１０の裏面の平面図である。
【図３】響棒４１の側面図である。
【図４】響棒４３の側面図である。
【図５】響棒４４の側面図である。
【図６】本発明の第２実施形態に係る表板１０の裏面の平面図である。
【図７】センサユニット６０の側面図である。
【図８】本発明の変形例に係る表板１０の裏面の平面図である。
【図９】本発明の変形例に係る打楽器１の斜視図である。
【符号の説明】
【００３５】
１・・・打楽器、１０・・・表板、１１・・・貫通孔、２０・・・裏板、３０・・・側板、４１〜４８・・・響棒、５０・・・補強板、６０・・・センサユニット、６１Ａ・・・第１接着層、６１Ｂ・・・第２接着層、６２・・・中間層、６３・・・金属層、６４・・・圧電素子、７０・・・ネック、８０・・・脚
【図１】
2008203419.tif 000003
【図２】
2008203419.tif 000004
【図３】
2008203419.tif 000005
【図４】
2008203419.tif 000006
【図５】
2008203419.tif 000007
【図６】
2008203419.tif 000008
【図７】
2008203419.tif 000009
【図８】
2008203419.tif 000010
【図９】
2008203419.tif 000011